(57)【要約】【課題】希望する音楽ファイルを１回のダウンロードで効率的にでき、その音楽ファイルすべてを低音質で再生して判断してから解除キーによって高音質のオリジナル音楽ファイルを再生できるようにすることにより、音楽ファイルのダウンロード時間の短縮化および通信費の低価格化を図ることができる認証鍵型音楽復元システムを提供する。【解決手段】ＰＣ３からコンテンツサーバ装置１にアクセスしキー機構付き音楽ファイルをダウンロードする。ダウンロードした音楽ファイルは携帯電話機４に移され、低音質で再生可能である。携帯電話機４で課金サーバ装置２より解除キーをダウンロードし音楽ファイルのキー機構を開錠することにより高音質で再生することが可能である。【選択図】図１
2007114469.tif 000002
【特許請求の範囲】
【請求項１】
高音質の音楽データ，該音楽データに音質制限を与える音質制限データおよび解除キーにより前記音楽データの音質制限を取り除く鍵より構成されるキー機構付き音楽ファイルを有するコンテンツサーバ装置と、
ネットワークと、
前記ネットワークを介してコンテンツサーバ装置と通信可能な通信端末装置とを備え、
前記通信端末装置は前記コンテンツサーバ装置からダウンロードした前記キー機構付き音楽ファイルを再生する場合、音質制限データに基づき低音質で再生し、
解除キーを取得して前記キーを開錠することにより音質制限データを取り除いて高音質で音楽データを再生することを特徴とする認証鍵型音楽復元システム。
【請求項２】
前記通信端末装置は、ダウンロードした音楽データの再生できる時間を短くするか、音楽データに一定間隔でノイズを入れるか、または音楽データの符号を間引くことにより音質制限を加えることを特徴とする請求項１記載の認証鍵型音楽復元システム。
【請求項３】
前記通信端末装置は、携帯電話機またはネットワーク接続されるパソコンであり、
前記携帯電話機またはパソコンは、
ダウンロードした音楽ファイルのキーを解除するキー解除手段と、
キー解除した音楽ファイルおよびキー解除しない音楽ファイルを再生する再生手段と、  を有することを特徴とする請求項１または２記載の認証鍵型音楽復元システム。
【請求項４】
前記解除キーは前記コンテンツサーバ装置経由または直接課金サーバ装置からダウンロード可能であり、
ダウンロードの際、課金サーバ装置で課金することを特徴とする請求項１，２または３記載の認証鍵型音楽復元システム。
【発明の詳細な説明】
【技術分野】
【０００１】
本発明は、ウエブサイトから認証鍵付の音楽ファイルを通信端末装置にダウンロードし、鍵を解除することにより音楽を高音質で再生することができる認証鍵型音楽復元システムに関する。
【背景技術】
【０００２】
従来、音楽配信サイトから音楽ファイルをダウンロードして携帯電話機などで再生して聞く場合、ユーザは試聴用ファイルをダウンロードし、その一部を再生することにより入手するか否かを判断し、購入する場合には再度、音楽配信サイトにアクセスし認証キーとともに高音質のオリジナル音楽ファイルをダウンロードするものであった。したがって、従来は認証キーを入手するまでは音楽ファイルすべてを再生することができず、試聴用ファイルでは入手すべきか否かの情報を得るには不十分なものであった。
【０００３】
また、ウエブサイトから希望する音楽や映像のメディア、あるいはそれらのデータを入手する手段としてテレビの音楽番組を利用するものがある（特許文献１）。
これは、曲や映像に対応してあらかじめ識別番号を定めておき、テレビで音楽番組を放送する場合、テレビ画面上に、現在歌われている曲が収録されているＣＤの識別番号を表示し、試聴者はある曲が気に入った場合にその曲に対応する識別番号を携帯電話機やＰＣによって入力するものである。この識別番号はインターネットを介してサーバに送信され、サーバではこの識別番号に対応するＣＤの配送を配送センタへ指示するものである。
【特許文献１】特開２００２−３４６２１号公報
【発明の開示】
【発明が解決しようとする課題】
【０００４】
これはテレビで歌われた曲，映像を対象とするものであり、ユーザが任意に多数の中から選択して行うものではなく、また、配信される媒体もＣＤによって行われるものであり、任意に通信端末装置で再生できるものではない。
本発明の目的は、希望する音楽ファイルを１回のダウンロードで効率的にでき、その音楽ファイルすべてを低音質で再生して判断してから解除キーによって高音質のオリジナル音楽ファイルを再生できるようにすることにより、音楽ファイルのダウンロード時間の短縮化および通信費の低価格化を図ることができる認証鍵型音楽復元システムを提供することにある。
【課題を解決するための手段】
【０００５】
前記目的を達成するために本発明の請求項１は、高音質の音楽データ，該音楽データに音質制限を与える音質制限データおよび解除キーにより前記音楽データの音質制限を取り除く鍵より構成されるキー機構付き音楽ファイルを有するコンテンツサーバ装置と、ネットワークと、前記ネットワークを介してコンテンツサーバ装置と通信可能な通信端末装置とを備え、前記通信端末装置は前記コンテンツサーバ装置からダウンロードした前記キー機構付き音楽ファイルを再生する場合、音質制限データに基づき低音質で再生し、解除キーを取得して前記キーを開錠することにより音質制限データを取り除いて高音質で音楽データを再生することを特徴とする。
本発明の請求項２は、請求項１記載の発明において前記通信端末装置は、ダウンロードした音楽データの再生できる時間を短くするか、音楽データに一定間隔でノイズを入れるか、または音楽データの符号を間引くことにより音質制限を加えることを特徴とする。
本発明の請求項３は、請求項１または２記載の発明において前記通信端末装置は、携帯電話機またはネットワーク接続されるパソコンであり、前記携帯電話機またはパソコンは、ダウンロードした音楽ファイルのキーを解除するキー解除手段と、キー解除した音楽ファイルおよびキー解除しない音楽ファイルを再生する再生手段とを有することを特徴とする。
本発明の請求項４は、請求項１，２または３記載の発明において前記解除キーは前記コンテンツサーバ装置経由または直接課金サーバ装置からダウンロード可能であり、ダウンロードの際、課金サーバ装置で課金することを特徴とする。
【発明の効果】
【０００６】
上記構成によれば、従来は試聴用ファイルおよびオリジナルファイルの２つのファイルを２度にわたってダウンロードしていたが、本発明によれば、一度のダウンロードで済むので時間および通信費の節約になる。
また、ＰＣでダウンロードし、携帯電話機に転送してから認証キー（解除キー）のみをダウンロードすることができるので、この点からも通信費の節約になる。
携帯電話機同士で本発明による音楽ファイルを送受信する際には、認証キーがかかった状態で転送されるので、受信した側は、改めて開錠するために、認証キーをウエブサイトに取りに行く必要があるので、新たに課金することができ、著作権保護につながる。
【発明を実施するための最良の形態】
【０００７】
以下、図面を参照して本発明の実施の形態を詳しく説明する。
図１は、本発明による認証鍵型音声復元システムの構成を示す概略図である。
コンテンツサーバ装置１はキー機構付き音楽ファイル５をメモリ部に有している。課金サーバ装置２は、ユーザが高音質の音楽ファイルにするための解除キー（認証キー）を発行するものであり、その際に音楽ファイル対応の購入金を課金する。携帯電話機４は携帯電話用通信事業者システム８を介してインターネット６経由でコンテンツサーバ装置１および課金サーバ装置２にアクセスし接続することができる。同様にパソコン３もＰＣ用通信事業者システム（ＩＳＰ）７を介してインターネット６経由でコンテンツサーバ装置１および課金サーバ装置２にアクセスし接続することができる。
携帯電話機４およびパソコン３は、ダウンロードしたキー機構付き音楽ファイルおよびキーが解除された高音質の音楽ファイルを再生する機能を備えている。
【０００８】
図２は、キー機構付き音楽ファイルのデータ構造の一例を示す図である。
キー機構付き音楽ファイルはヘッド部，キーデータ，音楽データ，再生時間制限データ，ノイズデータおよびフッタ部より構成されている。
ヘッド部は音楽ファイルのタイトル，作成日，アーチストなどのデータが格納されている。音楽データはオリジナルの高音質の音楽ファイルであり、再生時間制限データは音楽ファイルの再生に時間制限を設けるデータ、ノイズデータは音楽ファイルに一定周期毎にノイズを乗せるためのデータである。キー付きの状態では音楽ファイルは再生時間制限が加えられていたり、ノイズが挿入されている状態であり、低品質でのみしか再生されない。キーに解除キー（認証キー）を施すことにより、上記再生時間制限やノイズの挿入はなく、音楽データ本来の高音質の再生が可能になる。
低品質にする手段として上記方法の他に音楽ファイルの符号を間引くなど種々の方法がある。
【０００９】
図３は、本発明による認証鍵型音声復元システムに用いられるコンテンツサーバ装置および課金サーバ装置の回路の実施の形態を示すブロック図であり、本発明に直接関連する部分のみを記載したものである。
コンテンツサーバ装置１は、メモリ部２６に制御プログラム２６ａおよび音楽ファイルデータ格納部２６ｂを有している。ＣＰＵ２５は制御プログラムを読み込むことによりサーバ装置の制御を行い、その機能の１つである音楽配信部２５ａは通信部２７を介して携帯電話機やパソコンからアクセスがあって音楽ファイルのリスト表示の要求があると、リストを送信する。携帯電話機やパソコンでユーザにより音楽ファイルのリストから希望する音楽ファイルが選択されると、選択された音楽ファイルを音楽ファイルデータ格納部２６ｂから読み出し、要求元の携帯電話機やパソコンにキー機構付き音楽ファイルを送信する。
【００１０】
図４は、本発明による認証鍵型音声復元システムに用いられるパソコンの回路の一例を示すブロック図である。
ＣＰＵ４１は電源投入によりＨＤＤ４０内のＯＳをＲＡＭ４２に読み込むことにより立ち上げ、ＯＳ初期画面をグラフィック回路４３を介してディスプレイ４４に表示する。入出力インタフェース部３７はＬＡＮ端子，ＯＳ／２端子，サウンド出力端子，ＵＳＢ端子，１３９４端子などを備え、各端子にはぞれぞれルータ３８，マウス４６，キーボード４７，スピーカ４５が接続されている。ルータ３８にはＡＤＳＬモデム３９が接続され、電話回線を通じてネット上のコンテンツサーバ装置と通信することができる。
【００１１】
コンテンツサーバ装置１から音楽ファイルをダウンロードする場合について説明する。
ユーザがブラウザを立ち上げ、ＵＲＬを入力することによりルータ３８，ＡＤＳＬモデム３９を介してコンテンツサーバ装置１にアクセスすると、アクセス情報は通信部２７を介してコンテンツサーバ装置１に送られる。コンテンツサーバ装置１は音楽ファイルのダウンロード要求であることを認識すると、音楽ファイルリストをパソコン３に送信する。パソコン３では音楽ファイルリストがＲＡＭ４２に格納され、格納された音楽ファイルリストはディスプレイ４４に表示され、ユーザは希望する音楽ファイルを選択することができる。ユーザが音楽ファイルを選択すると、その選択情報はコンテンツサーバ装置１に送信され、音楽配信部２５ａは、図２で示すデータ構造の選択された音楽ファイルをダウンロードする。パソコン３では、この音楽ファイルをキー機構付きのままで低音質再生することが可能であり、また、高音質で聞くために課金サーバ装置２にアクセスして解除キーをダウンロードし、キー機構を解除して高音質再生することも可能である。
【００１２】
図５は、本発明による認証鍵型音声復元システムに用いられる携帯電話機の回路の実施の形態を示すブロック図である。
アンテナ１０からの受信信号は送受分離器１１で受信部１２に入力され、受信部１２で復調され、データ処理部１４に送られる。データ処理部１４では、デコード処理され，多重信号がチャネル分離され、サウンド処理部１５でアナログ信号に変換されスピーカ１６より音声等が出力される。マイク１７に入力した音声はサウンド処理部１５でディジタル信号に変換された後、データ処理部１４でチャネル多重化されコード化処理され、送信部１３で変調され、送受分離器１１を介してアンテナ１０より送信される。
着呼，発信の際、ＣＰＵ１８の電話制御機能部１８ａがユーザのキー入力部２１の操作に従って上記各回路部を制御することより通話が可能となる。また、データ送受信機能部１８ｂはネット上のコンテンツサーバ装置１および課金サーバ装置２にアクセスし、要求を出したり、音楽ファイルや解除キーなどのデータを受信したりすることができる。また、パソコン３と有線（ＵＳＢ接続など）または無線（ブルートゥース，赤外線接続など）通信することにより、パソコン３でダウンロードした音楽ファイルをメモリ部１９に格納することができる。
【００１３】
ＣＰＵ１８はこの他にキー解除部１８ｃおよび音楽演奏制御部１８ｄを有している。
パソコンにダウンロードし通信によりメモリ部１９に格納したキー機構付き音楽ファイル、またはコンテンツサーバ装置１にアクセスしダウンロードしてメモリ部１９に格納されたキー機構付き音楽ファイルについて、音楽演奏制御部１８ｄはキー機構付きで音楽ファイルを低音質再生することができ、スピーカ１６やイヤホーン端子に接続されたヘッドホンで聞くことが可能である。
オリジナルの高音質再生を希望する場合にはデータ送受信機能部１８ｂで直接またはコンテンツサーバ装置１経由で課金サーバ装置２にアクセスし、再生時間制限やノイズ挿入を解除するための解除キーをダウンロードすることが可能である。ダウンロードされた解除キーはメモリ部１９に格納され、キー解除部１８ｃで音楽ファイルの時間制限やノイズ挿入を取り除くことにより、音楽演奏制御部１８ｄは音楽ファイルを高音質再生することができる。
【００１４】
図６は、本発明による認証鍵型音声復元システムにおいてキー機構付き音楽ファイルをダウンロードして高音質再生するまでの流れを説明するためのフローチャート、図７は、各ステップにおける通信端末装置の接続状態を説明するための図である。
パソコン３または携帯電話機４でインターネット６を介してコンテンツサーバ装置１にアクセスし、音楽ファイルのリストをダウンロードし（図７（ａ）参照）、その中から音楽ファイルを選択する（ステップ（以下「Ｓ」という）０１）。パソコン３のディスプレイ４４または携帯電話機４の液晶表示部２２に表示される音楽ファイルのリストから希望する音楽ファイルを選択すると、選択されたキー機構付き音楽ファイルがダウンロードされる（Ｓ０２）。
【００１５】
ここで、パソコン３または携帯電話機４でダウンロードした音楽ファイルを低音質で聴くことができる（Ｓ０３）。なお、携帯電話機４で聴く場合に、パソコン３で音楽ファイルをダウンロードしたのち携帯電話機４に移せば、短時間にしかも低価格でダウンロードすることが可能である。
音楽ファイルの高音質再生を希望する場合、携帯電話機４でコンテンツサーバ装置１に再度アクセスし、音楽ファイルの購入を決定するか、またはキー機構付き音楽ファイルをダウンロードした後、アクセスを保持した状態で聴いて音楽ファイルの購入を決定することとなる（Ｓ０４）。
【００１６】
ユーザがキー操作によって購入を決定すると、携帯電話機４は通信部２７，３０を介して課金サーバ装置２に接続され課金され（Ｓ０５）、解除キーが携帯電話機４にダウンロードされる（Ｓ０６，図７（ｂ）参照）。携帯電話機４ではキー解除部１８ｃによってキー機構付き音楽ファイルの再生時間制限，ノイズ挿入が除去され、高音質で再生することができる（Ｓ０７，図７（ｃ）参照）。
なお、携帯電話機によらず、パソコンのみでキー機構付き音楽ファイルダウンロード，解除キーのダウンロード，高音質の音楽ファイルを再生することもできる。また、解除キーをダウンロードすれば、携帯電話機，パソコンによらず、キー機構に対応した専用のプレイヤで高音質で再生することも可能である。
【産業上の利用可能性】
【００１７】
携帯電話機，パソコンなどの通信端末装置，ネットワーク，コンテンツサーバ装置および課金装置により構成され、キー機構付き音楽ファイルをダウンロードし、鍵を解除することによりダウンロードした音楽を高音質で再生することができる認証鍵型音楽復元システムである。
【図面の簡単な説明】
【００１８】
【図１】本発明による認証鍵型音声復元システムの構成を示す概略図である。
【図２】キー機構つき音楽ファイルのデータ構造の一例を示す図である。
【図３】コンテンツサーバ装置および課金サーバ装置の回路の実施の形態を示すブロック図である。
【図４】パソコンの構成の一例を示すブロック図である。
【図５】携帯電話機の回路の実施の形態を示すブロック図である。
【図６】本発明による認証鍵型音声復元システムにおいてキー機構付き音楽ファイルをダウンロードして高音質で再生するまでの流れを説明するためのフローチャートである。
【図７】各ステップにおける通信端末装置の接続状態を説明するための図である。
【符号の説明】
【００１９】
１  コンテンツサーバ装置  
２  課金サーバ装置  
３  パソコン（ＰＣ）
４  携帯電話機  
５  キー機構付音楽ファイル  
６  インターネット（ネットワーク）    
７  ＰＣ用通信事業者システム（ＩＳＰ）
８  携帯電話用通信事業者システム
１０  アンテナ
１１  ＤＵＰ（送受信分離器）
１２  受信部
１３  送信部
１４  データ処理部
１５  サウンド処理部
１６  スピーカ
１７  マイク
１８，２５，２８，４１  ＣＰＵ
１９，２６，２９  メモリ部
２０  インタフェース部
２１  キー入力部
２２  液晶表示部
２７，３０  通信部
３６  周辺機器制御部
３７  入出力インタフェース部
３８  ルータ
３９  ＡＤＳＬモデム
４０  ＨＤＤ
４２  ＲＡＭ  
４３  グラフィック回路
４４  ディスプレイ
４５  スピーカ
４６  マウス
４７  キーボード
【図１】
2007114469.tif 000003
【図２】
2007114469.tif 000004
【図３】
2007114469.tif 000005
【図４】
2007114469.tif 000006
【図５】
2007114469.tif 000007
【図６】
2007114469.tif 000008
【図７】
2007114469.tif 000009